(57)【要約】【課題】壁面に不定形な乱形タイルを貼り付ける際に壁面と乱形タイルの間に介在させて乱形タイルの剥落を抑制する乱形タイル用係止板を提供する。【解決手段】乱形タイル用係止板は、下地の前側に複数の乱形タイルを任意配置で配列するために、前記下地と前記乱形タイルの間に介在させる、多数の係止孔が全面に配設された乱形タイル用係止板であって、前記下地と前記乱形タイルの間にスポット状に配した接着用材料が振動により破断しないだけの空隙率を確保するとともに、前記係止孔の一に前記乱形タイルを吊るすための取付片を掛けたときに前記乱形タイルの荷重により変形しないように前記係止孔の下辺を平坦状にした、ことを特徴とする。【選択図】図１
2019039209.tif 000002
【特許請求の範囲】
【請求項１】
下地の前側に複数の乱形タイルを任意配置で配列するために、前記下地と前記乱形タイルの間に介在させる、多数の係止孔が全面に配設された乱形タイル用係止板であって、
前記下地と前記乱形タイルの間にスポット状に配した接着用材料が振動により破断しないだけの空隙率を確保するとともに、前記係止孔の一に前記乱形タイルを吊るすための取付片を掛けたときに前記乱形タイルの荷重により変形しないように前記係止孔の下辺を平坦状にした、
ことを特徴とする乱形タイル用係止板。
【請求項２】
前記空隙率が７０％以上である、
ことを特徴とする請求項１に記載の乱形タイル用係止板。
【請求項３】
前記係止孔を矩形状に配列させる、
ことを特徴とする請求項１又は２に記載の乱形タイル用係止板。
【請求項４】
前記係止孔の一の列と、それに隣接する他の列とは、半ピッチずらして配列させる、
ことを特徴とする請求項１乃至３の何れか一に記載の乱形タイル用係止板。
【請求項５】
前記下地に留めるために前記下地に接するように突出させた固定部が複数設けられ、
前記乱形タイルの長さが前記固定部の設置ピッチよりも短い場合に、前記乱形タイルの長さ以下の幅で前記下地に接する部分と前記下地から浮いた部分とが交互に来るように折り曲げられた、
ことを特徴とする請求項１乃至４の何れか一に記載の乱形タイル用係止板。
【請求項６】
請求項１乃至５の何れか一に記載の乱形タイル用係止板を用いて、前記下地に前記乱形タイルを配列した、
ことを特徴とする取付構造。
【発明の詳細な説明】
【技術分野】
【０００１】
本発明は、壁面に不定形な乱形タイルを貼り付ける際に介在させる乱形タイル用係止板及びその取付構造に関する。
【背景技術】
【０００２】
建築物の外壁等の仕上げにおいては、下地となる壁面にモルタルや接着剤を用いてタイルや石材板などの化粧材が貼着される。化粧材については、四角形など形状が一定のタイルが配列されることも多いが、不定形な乱形タイルをバランス良く配置するケースもある。特許文献１に記載されているように、下地に有孔金属板を取り付けて不定形な化粧材を係止させて貼り付ける発明も開示されている。
【先行技術文献】
【特許文献】
【０００３】
【特許文献１】特許第３４０８４４９号公報
【発明の概要】
【発明が解決しようとする課題】
【０００４】
しかしながら、特許文献１に記載の発明では、有孔金属板に多数の係止孔が全面にわたって平均に穿設されているが、有孔金属板における係止孔の空隙率が低いと、地震その他の振動によってモルタルが切れて化粧材が剥落しやすくなるという問題がある。また、有孔金属板の空隙率を上げると、有孔金属板自体の強度が弱くなり、化粧材の重さによって有孔金属板が変形しやすくなるという問題もあり、結果的に化粧材が剥落しやすくなる。
【０００５】
そこで、本発明は、壁面に不定形な乱形タイルを貼り付ける際に壁面と乱形タイルの間に介在させて乱形タイルの剥落を抑制する乱形タイル用係止板を提供することを目的とする。
【課題を解決するための手段】
【０００６】
上記の課題を解決するために、本発明である乱形タイル用係止板は、下地の前側に複数の乱形タイルを任意配置で配列するために、前記下地と前記乱形タイルの間に介在させる、多数の係止孔が全面に配設された乱形タイル用係止板であって、前記下地と前記乱形タイルの間にスポット状に配した接着用材料が振動により破断しないだけの空隙率を確保するとともに、前記係止孔の一に前記乱形タイルを吊るすための取付片を掛けたときに前記乱形タイルの荷重により変形しないように前記係止孔の下辺を平坦状にした、ことを特徴とする。
【０００７】
前記乱形タイル用係止板は、前記空隙率が７０％以上である、ことを特徴とする。
【０００８】
前記乱形タイル用係止板は、前記係止孔を矩形状に配列させる、ことを特徴とする。
【０００９】
前記乱形タイル用係止板は、前記係止孔の一の列と、それに隣接する他の列とは、半ピッチずらして配列させる、ことを特徴とする。
【００１０】
前記乱形タイル用係止板は、前記下地に留めるために前記下地に接するように突出させた固定部が複数設けられ、前記乱形タイルの長さが前記固定部の設置ピッチよりも短い場合に、前記乱形タイルの長さ以下の幅で前記下地に接する部分と前記下地から浮いた部分とが交互に来るように折り曲げられた、ことを特徴とする。
【００１１】
また、本発明である取付構造は、前記乱形タイル用係止板を用いて、前記下地に前記乱形タイルを配列した、ことを特徴とする。
【発明の効果】
【００１２】
壁面に不定形な乱形タイルを貼り付ける際に、本発明である乱形タイル用係止板を壁面と乱形タイルの間に介在させることで、乱形タイルの剥落を抑制することができる。壁面と乱形タイルの間にスポット状に配した接着用材料は、乱形タイル用係止板の全面に複数空けられた係止孔を通って壁面と乱形タイルとを貼着しているが、乱形タイル用係止板の空隙率を上げることで、接着用材料が振動によって破断することが抑制される。また、乱形タイル用係止板に空けられた係止孔を矩形状など下辺が平坦な形状にすることで、係止孔に引っ掛けた乱形タイルの荷重が一点に集中せず変形を抑えられる。すなわち、乱形タイル用係止板の変形により、壁面と乱形タイルの間が空いて接着用材料が剥がれることが抑制される。
【図面の簡単な説明】
【００１３】
【図１】本発明である乱形タイル用係止板を用いて乱形タイルを係止した壁面を示す正面図である。
【図２】本発明である乱形タイル用係止板を用いて乱形タイルを係止した壁面を示す左側面図である。
【図３】本発明である乱形タイル用係止板の係止孔が円形状の場合の拡大図である。
【図４】本発明である乱形タイル用係止板の係止孔が菱形状の場合の拡大図である。
【図５】本発明である乱形タイル用係止板の係止孔が矩形状の場合の拡大図である。
【図６】本発明である乱形タイル用係止板を凹凸状に折り曲げた場合を示す図である。
【図７】本発明である乱形タイル用係止板を用いた乱形タイルの接着を説明する図である。
【発明を実施するための形態】
【００１４】
以下に、本発明の実施形態について図面を参照して詳細に説明する。同一機能を有するものは同一符号を付け、その繰り返しの説明は省略する場合がある。
【実施例１】
【００１５】
まず、本発明である乱形タイル用係止板を用いた乱形タイルの係止について説明する。図１は、乱形タイル用係止板を用いて乱形タイルを係止した壁面を示す正面図であり、図２は、その左側面図である。なお、壁面１００の外側に向かう方を前側、壁面１００側に向かう方を後側とする。
【００１６】
図１に示すように、乱形タイル用係止板２００は、建物の外壁などの壁面１００に化粧材として複数の乱形タイル４００を任意の配置で配列するために、アンカー１２０等により壁面１００に固定される金属や樹脂などで作られた板材である。なお、乱形タイル４００は、不定形のタイル又は石材板などの化粧材であり、それぞれサイズが異なるため、一定の間隔で配置するのが困難なものである。
【００１７】
図２に示すように、壁面１００に乱形タイル用係止板２００を固定するにあたり、下地として壁面１００の表面に下地材１１０を取り付けても良い。壁面１００に凹凸が多いなど平滑でない場合や、接着剤が付きにくい場合など、壁面１００の状態が良好でない場合には、板材などを下地として用い、良好であれば壁面１００を下地としても良い。
【００１８】
乱形タイル用係止板２００は、下地材１１０に留めるための固定部２２０、及び乱形タイル４００を係止するための支持部２３０を有する。なお、乱形タイル用係止板２００には、全面に渡って複数の係止孔２１０も空けられる。
【００１９】
固定部２２０は、部分的に裏面側（壁面１００側）に突出させて、その底面を下地材１１０に接触させた部分である。固定部２２０は、少なくともアンカー１２０が収まる大きさがあれば良い。固定部２２０の底面には、アンカー１２０の頭部以外の軸部が通る孔を空けておき、アンカー１２０を下地材１１０に挿し込んで留めれば良い。
【００２０】
支持部２３０は、下地材１１０の前側に下地材１１０から浮かせた状態で配置され、乱形タイル４００を吊り下げる等して係止する部分である。なお、乱形タイル４００を吊り下げて支持部２３０に引っ掛けるために取付片３００を用いる。
【００２１】
取付片３００は、例えば、上部を後側にフック状に折り曲げた掛部３１０、及び下部を前側に折り曲げた留部３２０を設け、留部３２０を乱形タイル４００の裏面に空ける等した穴に掛けて吊り下げた状態にし、掛部３１０を乱形タイル用係止板２００に引っ掛けることにより、係止すれば良い。
【００２２】
乱形タイル用係止板２００により係止された乱形タイル４００を下地材１１０に対して固着するために、下地材１１０と乱形タイル４００の間に接着用材料５００をスポット状に配して接着する。接着用材料５００は、例えば、主に乾式工法で使用する弾性接着剤や、主に湿式工法で使用するモルタルなどである。
【００２３】
下地材１１０と乱形タイル４００の間に介在している乱形タイル用係止板２００にも接着用材料５００を絡ませる。また、ある１つの乱形タイル４００とそれに隣接する他の乱形タイル４００との間の目地材として、接着用材料５００を充填しても良い。
【００２４】
次に、本発明である乱形タイル用係止板の構造について説明する。図３は、乱形タイル用係止板の係止孔が円形状の場合の拡大図であり、図４は、乱形タイル用係止板の係止孔が菱形状の場合の拡大図であり、図５は、乱形タイル用係止板の係止孔が矩形状の場合の拡大図である。
【００２５】
図３に示すように、乱形タイル用係止板２００ａは、複数の円形状の係止孔２１０ａを縦横に等間隔で並べ、それを４５度傾斜させたような状態で配置することにより、支持部２３０の全面に係止孔２１０ａが空けられたものである。係止孔２１０ａは、任意の列において縦方向に等間隔で並び、その列と隣接する他の列の係止孔２１０ａは、上側又は下側に半ピッチずれた状態で並ぶ。
【００２６】
また、一の係止孔２１０ａにおいて、斜めに隣接する係止孔２１０ａとの間隔よりも、同じ列の上側又は下側の係止孔２１０ａとの間隔が大きくなるので、乱形タイル用係止板２００ａにおける係止孔２１０ａの空隙率は約５０％となる。この場合、乱形タイル用係止板２００ａ自体の強度は出るが、係止孔２１０ａに入り込む接着用材料５００の量は少なくなる。
【００２７】
接着用材料５００が係止孔２１０ａに入り込むことで下地材１１０と乱形タイル４００とが接着される。接着用材料５００が弾性接着剤の場合は、空隙率が５０％程度でも接着力に支障はないが、モルタルの場合だと、空隙率を７０％程度確保しないと地震等の振動によりモルタルが破断して乱形タイル４００が剥離するおそれが生じる。
【００２８】
図４に示すように、乱形タイル用係止板２００ｂは、複数の菱形状の係止孔２１０ｂを等間隔で並ぶように配置することにより、支持部２３０の全面に係止孔２１０ｂが空けられたものである。複数の係止孔２１０ｂは、縦横方向には頂点で隣接させ、斜め方向には辺で隣接させることにより、係止孔２１０ｂの間隔が小さくなり、乱形タイル用係止板２００ｂにおける係止孔２１０ｂの空隙率は７０％以上となる。係止孔２１０ｂにおいても、隣接する列は、半ピッチずれた状態で並ぶ。
【００２９】
接着用材料５００が係止孔２１０ｂに入り込み、乱形タイル用係止板２００ｂに絡みやすくなるため、下地材１１０と乱形タイル４００とが強く接着され、振動により接着用材料５００が破断して乱形タイル４００が剥離する可能性は少ない。
【００３０】
係止孔２１０ｂの間隔が狭くなることで、支持部２３０の強度が下がるおそれがある。取付片３００の留部３２０に乱形タイル４００を留めて掛部３１０を係止孔２１０ｂに掛けたときに、例えば、取付片３００の幅が狭いときは、係止孔２１０ｂの下側の頂点に対して、一点で荷重が掛かる。
【００３１】
また、取付片３００の幅が広いときは、係止孔２１０ｂの左下側の辺及び右下側の辺に対して、それぞれ一点で荷重が掛かる。左下側の辺（枠）が左下の方向に変形し、右下側の辺（枠）が右下の方向に変形すると、それに連動するように、左上側の辺（枠）が右下の方向に変形し、右上側の辺（枠）が左下の方向に変形していく。そして、変形方向が前後方向に膨らむと、接着用材料５００が破断して乱形タイル４００が剥離するおそれが生じる。
【００３２】
図５に示すように、乱形タイル用係止板２００ｃは、複数の矩形（横長の長方形）状の係止孔２１０ｃを縦に等間隔で並べ、隣接する列は、半ピッチずれた状態で並べて配置することにより、支持部２３０の全面に係止孔２１０ｃが空けられたものである。複数の係止孔２１０ｃは、縦横方向に辺で隣接しており、係止孔２１０ｃの間隔も小さいので、乱形タイル用係止板２００ｃにおける係止孔２１０ｃの空隙率は７０％以上となる。
【００３３】
接着用材料５００が係止孔２１０ｃに入り込み、乱形タイル用係止板２００ｃに絡みやすいので、下地材１１０と乱形タイル４００とが強く接着され、振動により接着用材料５００が破断して乱形タイル４００が剥離する可能性は少ない。
【００３４】
支持部２３０の強度については、取付片３００の幅が狭いときは、係止孔２１０ｃの下側の辺に対し一点で荷重が掛かるおそれがあるが、取付片３００の幅が広いときは、係止孔２１０ｃの下側の辺で受けるため、荷重が分散される。また、荷重は斜め方向には掛からないので、変形したとしても周りに拡がりづらい。なお、取付片３００の位置が横方向にずれないように、係止孔２１０ｃの横の長さは、取付片３００の幅に合わせれば良い。
【００３５】
係止孔２１０ｃの配置ピッチが取付片３００を掛ける位置、すなわち乱形タイル４００の位置の調整可能ピッチとなる。係止孔２１０ｃの縦の長さは、取付片３００の掛部３１０を掛けるのに支障がない程度に小さくすることが好ましい。
【００３６】
係止孔２１０ｃの下側の辺を平坦状（水平状）にして、取付片３００及び乱形タイル４００の荷重を辺で受ければ良いので、係止孔２１０ｃの形状は、六角形など矩形状以外の形状にしても良い。
【００３７】
次に、本発明である乱形タイル用係止板の強度保持について説明する。図６は、乱形タイル用係止板を凹凸状に折り曲げた場合を示す（ａ）正面図及び（ｂ）底面図である。図７は、（ａ）凹状部がない場合及び（ｂ）凹状部がある場合の乱形タイル用係止板を用いた乱形タイルの接着を説明する図である。
【００３８】
図６（ａ）及び（ｂ）に示すように、乱形タイル用係止板２００ｄは、支持部２３０をクランク状に折り曲げることを繰り返し、下地材１１０に接する凹状部２４０を設けたものである。下地材１１０から浮いた支持部２３０と、下地材１１０に接する凹状部２４０とが交互に来るように折り曲げられ、前後方向に幅が出ることで、乱形タイル用係止板２００ｄの強度が向上する。
【００３９】
なお、凹状部２４０は、底面が下地材１１０に接触するように、固定部２２０と同じ深さにすれば良い。また、支持部２３０のうち、縦に係止孔２１０ｄがない位置で直角に折り曲げることで高さを変えて段差を作れば良い。
【００４０】
図７（ａ）に示すように、乱形タイル用係止板２００ｃの両端付近に固定部２２０を設け、横にした下地材１１０にアンカー１２０で固定したときに、支持部２３０に乱形タイル４００を載せ、下地材２１０と乱形タイル４００の間に接着用材料５００を注入したとする。乱形タイル４００の長さが固定部２２０の設置ピッチよりも短いと、下地材１１０から浮いた状態である支持部２３０が乱形タイル４００の重量により下方に湾曲して下地材２１０と乱形タイル４００の間が狭くなる。
【００４１】
接着用材料５００が下地材２１０と乱形タイル４００の間に充分に入り込まなくなり、接着力が弱くなる可能性がある。なお、支持部２３０の撓みを抑えるために仮止めした場合も、接着用材料５００が充分に入り込まなくなる。
【００４２】
図７（ｂ）に示すように、支持部２３０に間欠的に凹状部２４０を設けて、乱形タイル４００の長さ以下で、支持材２１０に接する部分と、支持材２１０から浮いた部分とが交互に来るようにする。乱形タイル４００が載る部分を乱形タイル４００の長さよりも短くすることで、支持部２３０が撓むことが抑制される。
【００４３】
乱形タイル用係止板２００ｄに凹凸を設けることで、下地材２１０と乱形タイル４００の間隔が確保され、接着用材料５００が下地材２１０と乱形タイル４００の間に充分に入り込む。乱形タイル用係止板２００ｄを介して、下地材２１０と乱形タイル４００とが強固に接着され、乱形タイル４００の剥離が防止される。なお、凹状部２４０を利用して接着用材料５００が固まるまで乱形タイル用係止板２００ｄを仮止めすることも可能となる。
【００４４】
このように、壁面に不定形な乱形タイルを貼り付ける際に、本発明である乱形タイル用係止板を壁面と乱形タイルの間に介在させることで、乱形タイルの剥落を抑制することができる。壁面と乱形タイルの間にスポット状に配した接着用材料は、乱形タイル用係止板の全面に複数空けられた係止孔を通って壁面と乱形タイルとを貼着しているが、乱形タイル用係止板の空隙率を上げることで、接着用材料が振動によって破断することが抑制される。また、乱形タイル用係止板に空けられた係止孔を矩形状など下辺が平坦な形状にすることで、係止孔に引っ掛けた乱形タイルの荷重が一点に集中せず変形を抑えられる。すなわち、乱形タイル用係止板の変形により、壁面と乱形タイルの間が空いて接着用材料が剥がれることが抑制される。
【００４５】
以上、本発明の実施例を述べたが、これらに限定されるものではない。
【符号の説明】
【００４６】
１００：壁面
１１０：下地材
１２０：アンカー
２００：乱形タイル用係止板
２１０：係止孔
２２０：固定部
２３０：支持部
２４０：凹状部
３００：取付片
３１０：掛部
３２０：留部
４００：乱形タイル
５００：接着用材料
【図１】
2019039209.tif 000003
【図２】
2019039209.tif 000004
【図３】
2019039209.tif 000005
【図４】
2019039209.tif 000006
【図５】
2019039209.tif 000007
【図６】
2019039209.tif 000008
【図７】
2019039209.tif 000009
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
下地の前側に複数の乱形タイルを任意配置で配列するために、前記下地と前記乱形タイルの間に介在させる、多数の係止孔が全面に配設された乱形タイル用係止板であって、
前記乱形タイルを吊り下げており、前記係止孔の一に引っ掛けるための取付片を有し、
前記係止孔は、掛けられた前記乱形タイルの荷重を分散するとともに、前記取付片の位置がずれないように、前記取付片の幅に合わせた矩形状にされ、
前記下地と前記乱形タイルの間にスポット状に配された接着用材料が振動により破断しないだけの空隙率を確保した上で、前記接着用材料が前記係止孔に絡まるように、前記係止孔の一の列と、それに隣接する他の列とを、半ピッチずらして配列させた、
ことを特徴とする乱形タイル用係止板。
【請求項２】
前記下地に留めるために前記下地に接するように突出させた固定部が複数設けられ、
前記乱形タイルの長さが前記固定部の設置ピッチよりも短い場合に、前記乱形タイルの長さ以下の幅で前記下地に接する部分と前記下地から浮いた部分とが交互に来るように折り曲げられた、
ことを特徴とする請求項１に記載の乱形タイル用係止板。
【請求項３】
請求項１又は２に記載の乱形タイル用係止板を用いて、前記下地に前記乱形タイルを配列した、
ことを特徴とする取付構造。
【手続補正２】
【補正対象書類名】明細書
【補正対象項目名】０００６
【補正方法】変更
【補正の内容】
【０００６】
上記の課題を解決するために、本発明である乱形タイル用係止板は、下地の前側に複数の乱形タイルを任意配置で配列するために、前記下地と前記乱形タイルの間に介在させる、多数の係止孔が全面に配設された乱形タイル用係止板であって、前記乱形タイルを吊り下げており、前記係止孔の一に引っ掛けるための取付片を有し、前記係止孔は、掛けられた前記乱形タイルの荷重を分散するとともに、前記取付片の位置がずれないように、前記取付片の幅に合わせた矩形状にされ、前記下地と前記乱形タイルの間にスポット状に配された接着用材料が振動により破断しないだけの空隙率を確保した上で、前記接着用材料が前記係止孔に絡まるように、前記係止孔の一の列と、それに隣接する他の列とを、半ピッチずらして配列させた、ことを特徴とする。